(57)【要約】【課題】人が検知されないときには暗く点灯させて、エネルギの消費を抑制することができると共に、障害物、段差等の危険を早期に認識することができる照明装置及び照明装置の制御方法を提供する。【解決手段】  ＬＥＤ２，２…と、人を検知する受光部４と、受光部４による検知結果に応じてＬＥＤ２，２…の駆動を制御する制御部４１とを備える照明装置において、人が検知された場合、ＬＥＤ２，２…を明点灯し、それ以外では暗点灯するように照明装置を構成しているから、消費エネルギを抑制することができると共に、例えば、障害物、段差等があるときに、早期に認識することができ、危険を回避することができる。【選択図】図４
2009004190.tif 000002
【特許請求の範囲】
【請求項１】
ＬＥＤ等よりなる光源と、人を検知する人検知センサと、前記光源の明るさを制御する制御手段とを備え、
前記制御手段は、前記人検知センサにより人が検知されない場合には、前記光源の明るさを通常より暗い明るさに制御することを特徴とする照明装置。
【請求項２】
ＬＥＤ等よりなる光源と、人を検知する人検知センサと、該人検知センサにより人が検知されると前記光源を通常の明るさに制御するとともに、前記人検知センサにより人が検知されないと前記光源を通常の明るさより暗い障害物、段差等を認識可能な明るさに制御する制御手段とを備えてなることを特徴とする照明装置。
【請求項３】
ＬＥＤ等よりなる光源と、人を検知する人検知センサと、該人検知センサによる検知結果に応じて前記光源の駆動を制御する制御手段とを備え、
前記制御手段は、前記人検知センサにより検知された人の存／否に応じて、前記光源を明／暗に点灯させるように構成してあることを特徴とする照明装置。
【請求項４】
前記光源の駆動を制御すべく開閉動作を行うスイッチング素子を備えており、前記制御手段は、パルス信号を生成するパルス生成回路を備え、前記人検知センサにより検知された人の存／否に応じたデューティ比のパルス信号を前記パルス生成回路に生成させ、生成されたパルス信号により前記スイッチング素子を動作させるように構成してある請求項１から３の何れかに記載の照明装置。
【請求項５】
前記人検知センサは、赤外線を受光する受光素子を備えている請求項１から４の何れかに記載の照明装置。
【請求項６】
赤外線を発する赤外線ＬＥＤを備えている請求項５記載の照明装置。
【請求項７】
前記照明装置の周囲の照度を計測する照度センサを備え、
前記照度センサの計測した周囲の照度が所定の値より大きい場合には、前記光源を通常より暗い明るさに制御することを特徴とする請求項１から６の何れかに記載の照明装置。
【請求項８】
ＬＥＤ等よりなる光源と、人を検知する人検知センサと、前記光源の明るさを制御する制御手段とを備える照明装置の制御方法であって、
前記制御手段は、前記人検知センサにより人が検知されない場合には、前記光源の明るさを通常より暗い明るさに制御することを特徴とする照明装置の制御方法。
【発明の詳細な説明】
【技術分野】
【０００１】
本発明は、発光ダイオード（以下、ＬＥＤという）、Ｅｅｌｅｃｔｒｏ  Ｌｕｍｉｎｅｓｃｅｎｃｅ（ＥＬ）、及び蛍光灯等を光源とした照明装置に関する。特に、人検知センサを備え、人検知センサの検知に応じて光源を制御する照明装置及び照明装置の制御方法に関する。
【背景技術】
【０００２】
従来、室内又は屋外の照明用の光源として、白熱電球又は蛍光灯が主として用いられている。近年、これらの光源に代えて、ＬＥＤを光源とした照明装置が用いられている。ＬＥＤを用いた照明装置は、白熱電球又は蛍光灯と比較して、低消費電力かつ長寿命であり、耐衝撃性に優れ、小型・軽量であるという特徴を有しており、今後、広く普及する可能性がある。
【０００３】
一方、省エネルギの観点から、必要なときだけに照明装置を点灯することが望ましく、従来、人の存／否に応じて点灯／消灯するように構成された白熱電球又は蛍光灯が広く採用されており、ＬＥＤを用いた照明装置においても、同様の提案がなされている（例えば、特許文献１参照）。
【０００４】
特許文献１に開示された照明装置は、人検知センサにより人が検知された場合、タイマーにて設定した時間だけＬＥＤに電圧を供給して、ＬＥＤを点灯させるように構成されている。
【特許文献１】特開２００１−３５１４０２号公報
【発明の開示】
【発明が解決しようとする課題】
【０００５】
しかしながら、特許文献１の照明装置においては、人が検知されない場合、ＬＥＤが消灯しているため暗闇となり、障害物、段差等があるときに、その認識がし難いために安全上好ましくないという問題があった。
【０００６】
本発明は斯かる事情に鑑みてなされたものであり、人検知センサにより検知された人の存／否に応じて、ＬＥＤを明／暗に点灯させることにより、人の存／否に関わらず点灯し続ける照明装置と比較してエネルギの消費を抑制することができると共に、障害物、段差等の危険を確実に人に認識させることができる照明装置及び照明装置の制御方法を提供することを目的とする。
【課題を解決するための手段】
【０００７】
本発明に係る照明装置は、ＬＥＤ等よりなる光源と、人を検知する人検知センサと、光源の明るさを制御する制御手段とを備え、制御手段は、人検知センサにより人が検知されない場合には、光源の明るさを通常より暗い明るさに制御することを特徴とする。
【０００８】
この発明にあっては、人を検知しないときにはＬＥＤを暗く点灯させているから、エネルギの消費を抑制することができると共に、例えば、障害物、段差等があるときに、確実に人に認識させることができ、危険を回避することができる。
【０００９】
本発明に係る照明装置は、ＬＥＤ等よりなる光源と、人を検知する人検知センサと、人検知センサにより人が検知されると光源を通常の明るさに制御するとともに、人検知センサにより人が検知されないと光源を通常の明るさより暗い障害物、段差等を認識可能な明るさに制御する制御手段とを備えてなることを特徴とする。
【００１０】
この発明にあっては、人検知センサが人を検知したときは光源を明るく点灯させ、人を検知しないときは光源を暗く点灯させており、人検知センサの検知範囲内に人がいないときにも光源を点灯させているから、例えば、障害物、段差等があるときに、人に早期あるいは確実に認識させて回避行動を促すことが可能となり、危険を回避することができる。また、常時明るく点灯させている場合と比較すると、消費エネルギを抑制することができる。
【００１１】
本発明に係る照明装置は、ＬＥＤ等よりなる光源と、人を検知する人検知センサと、人検知センサによる検知結果に応じて光源の駆動を制御する制御手段とを備え、制御手段は、人検知センサにより検知された人の存／否に応じて、光源を明／暗に点灯させるように構成してあることを特徴とする。
【００１２】
この発明にあっては、人検知センサが人を検知したときは光源を明るく点灯させ、人を検知しないときは光源を暗く点灯させており、人検知センサの検知範囲内に人がいないときにも光源を点灯させているから、例えば、障害物、段差等があるときに、人に早期あるいは確実に認識させて回避行動を促すことが可能となり、危険を回避することができる。また、常時明るく点灯させている場合と比較すると、消費エネルギを抑制することができる。
【００１３】
また、本発明に係る照明装置は、光源の駆動を制御すべく開閉動作を行うスイッチング素子を備えており、制御手段は、パルス信号を生成するパルス生成回路を備え、人検知センサにより検知された人の存／否に応じたデューティ比のパルス信号をパルス生成回路に生成させ、生成されたパルス信号によりスイッチング素子を動作させるように構成してあることを特徴とする。
【００１４】
この発明にあっては、人検知センサにより検知された人の存／否に応じたデューティ比のパルス信号を生成して、該パルス信号によりスイッチング素子を動作させており、このスイッチング素子のＯＮ／ＯＦＦ動作に応じて光源に供給される電流がＯＮ／ＯＦＦされる。光源の明るさは平均電流値に応じて決まるから、人の存／否に応じてパルス信号のデューティ比を大／小にすることにより、光源の明るさを明／暗に変更することができる。また、光源がＬＥＤである場合には、ＬＥＤに供給される電流の大きさは一定であるから、色度を変えることなく、ＬＥＤの明るさを変更することができる。
【００１５】
また、本発明に係る照明装置は、人検知センサは、人の赤外線を受光する受光素子を備えていることを特徴とする。
【００１６】
この発明にあっては、赤外線を受光する受光素子を用いて、受光素子により人体から放出される赤外線を検出しており、受光素子のみというシンプルな構成により人を検知することができる。
【００１７】
また、本発明に係る照明装置は、赤外線を発する赤外線ＬＥＤを備えていることを特徴とする。
【００１８】
この発明にあっては、赤外線ＬＥＤから出射され、人体にて反射された赤外線を受光素子により検出しており、人が照明装置の近くに来たときに、人体にて反射される赤外線が、人体から自然に発せられる赤外線よりも強度があるように赤外線ＬＥＤを適切に設定することにより、人検知センサの感度を下げて誤動作を防止することができる。
【００１９】
また、本発明に係る照明装置は、照明装置の周囲の照度を計測する照度センサを備え、照度センサの計測した周囲の照度が所定の値より大きい場合には、光源を通常より暗い明るさに制御することを特徴とする。
【００２０】
この発明にあっては、人検知センサにより赤外線（人）を検知して明点灯する必要があると判断される場合においても、明点灯しなくても人が障害物等の認識することが可能であって暗点灯で十分に危険の回避することができる時は、不必要に照明装置を明点灯させることを避けられるので、照明装置の側を通過する人の障害物等の認識の補助による安全の確保と、照明装置をより効果的に省エネルギで駆動することが可能となる。
【００２１】
本発明に係る照明装置の制御方法は、ＬＥＤ等よりなる光源と、人を検知する人検知センサと、光源の明るさを制御する制御手段とを備える照明装置の制御方法であって、制御手段は、人検知センサにより人が検知されない場合には、光源の明るさを通常より暗い明るさに制御することを特徴とする。
【００２２】
この発明にあっては、人を検知しないときにはＬＥＤを暗く点灯させているから、エネルギの消費を抑制することができると共に、例えば、障害物、段差等があるときに、確実に人に認識させることができ、危険を回避することができる。
【発明の効果】
【００２３】
本発明によれば、人検知センサが人を検知したときはＬＥＤを明るく点灯させ、人を検知しないときにはＬＥＤを暗く点灯させているから、エネルギの消費を抑制することができると共に、例えば、障害物、段差等があるときに、確実に人に認識させることができ、危険を回避することができる。
【発明を実施するための最良の形態】
【００２４】
以下、本発明に係る照明装置の実施の形態を、図面に基づいて詳述する。
（実施の形態１）
図１は、本発明の実施の形態１に係る照明装置の外観図であり、図２は、図１のII−II線による断面図である。
【００２５】
図２を参照して説明すると、支持体１は、屈曲形成された細長状の樋形であり、矩形をなす矩形平面１ａと、該矩形平面１ａの短手方向の両端縁から直交する方向に下向きに延びる２つの矩形側面１ｂ，１ｂとを備えている。支持体１は、熱伝導性に優れたアルミニウム製である。
【００２６】
この支持体１の矩形平面１ａには、複数のＬＥＤ２，２…が実装された２つのＬＥＤ基板３，３が、非実装側の面（ＬＥＤ２，２…が実装された面と反対の面）にて熱伝導シート３０を介して当接されて、例えばネジ等により固定されている。熱伝導シート３０は、熱伝導性樹脂（例えば、ポリフェニレンサルファイド樹脂）製であり、ＬＥＤ２，２…にて発生した熱は、ＬＥＤ基板３の非実装側の面から熱伝導シート３０を介して支持体１に伝達される。
【００２７】
図３は、図１又は図２の照明装置に用いられるＬＥＤ基板３の概略図である。ガラス繊維を含有するエポキシ樹脂製のＬＥＤ基板３には、図に示すように、複数個直列に接続されたＬＥＤ２，２…が４列並列に配してある。図中に矩形にて示しているＬＥＤ２，２…は、ＬＥＤ素子と、外気から遮断すべく、該ＬＥＤ素子を封止する封止樹脂と、入力及び出力電極とを備えてなる表面実装型ＬＥＤである。なお、白色ＬＥＤの場合、封止樹脂には蛍光体を含有させてある。
【００２８】
支持体１の矩形平面１ａの長手方向の一端には、図１に示すように、赤外線を受光する受光部（人検知センサ）４が取付けてある。受光部４は、赤外線を受光して信号を出力する赤外線センサであり、熱起電力効果を利用したサーモパイル、焦電効果を利用した焦電体等、公知の赤外線センサを用いることができる。
【００２９】
なお、受光部４を配置する場所は、支持体１の長手方向の一端に限定されず、照明装置が設置される場所や照明装置の形状等を勘案して、人の検知に適する箇所に設けられていればよい。また、赤外線センサに限らず、人の存／否を検知できるセンサであれば、赤外線センサの代わりに適用可能である。
【００３０】
支持体１には、図２に示す如く、ＬＥＤ２，２…が実装されたＬＥＤ基板３，３を覆うように、トンネル状に湾曲した湾曲面を有し、耐衝撃性及び耐熱性に優れたポリカーボネート樹脂製のグローブ５が取付けられている。グローブ５の内面には、グローブ５を通過して照射される光が均一になるように光を拡散すべく、微細なレンズが多数形成されたマイクロレンズシート６が設けてある。
【００３１】
一方、樋形状をなす支持体１の開口側の収容部には、電源回路部品７が実装された電源回路基板７０が取付けてあり、支持体１の開口端には、矩形をなす樹脂製のカバー板８が装着してある。
【００３２】
グローブ５及びカバー板８が取付けられた支持体１の長手方向の両端部には、口金９１，９２が夫々固定してある。口金９１には、直管蛍光灯用のソケットに装着可能な一対の装着ピン９１ａ，９１ｂが設けてある。口金９２にも同様に、直管蛍光灯用のソケットに装着可能な装着ピン９２ａ，９２ｂが設けてある。これら装着ピン９１ａ，９１ｂ，９２ａ，９２ｂは、各々のリード線（図示せず）を介して電源回路部品７に接続してある。
【００３３】
図４は、照明装置の電気回路図である。口金９１の装着ピン９１ａ，９１ｂ間には、全波整流部７１が接続してあり、口金９２の装着ピン９２ａ，９２ｂ間には全波整流部７２が接続してある。
【００３４】
全波整流部７１，７２の陽極側には、電流制限用の抵抗２０ａと複数のＬＥＤ２，２…とを直列に接続した直列回路を複数並列接続してなるＬＥＤ発光部２０の一端が接続してある。一方、全波整流部７１，７２の陰極側は接地用ラインに接続してある。
【００３５】
また、全波整流部７１，７２の陽極側には、平滑コンデンサ７３の一端が接続してあり、平滑コンデンサ７３の他端は、接地用ラインに接続してある。
【００３６】
更に、全波整流部７１，７２の陽極側には、２つの抵抗７４，７５を直列に接続した直列回路の一端が接続してあり、該直列回路の他端は接地用ラインに接続してある。抵抗７５には、電源部４０が並列接続されている。これにより、電源部４０には、一定の電圧が印加される。
【００３７】
一方、ＬＥＤ発光部２０の他端には、トランジスタ７６のコレクタ電極が接続してあり、トランジスタ７６のエミッタ電極は抵抗７７の一端に接続してある。抵抗７７の他端は接地用ラインに接続してある。この構成において、トランジスタ７６のベース電極に電流が供給されるとき、トランジスタ７６にコレクタ電流が流れ、ＬＥＤ発光部２０に電流が流れることになる。
【００３８】
電源部４０には、受光部４及び制御部４１が各別のリード線を介して接続してあり、受光部４及び制御部４１には、定電圧電源である電源部４０から電流が供給される。受光部４は、前述の如く、赤外線を検出する受光素子を備えた赤外線センサであり、一定量以上の赤外線の有／無に応じて「Ｌ」（低）／「Ｈ」（高）信号を出力し、この出力信号は制御部４１に与えられる。
【００３９】
制御部４１は、パルス信号を生成するパルス生成回路４１ａを備える制御回路である。制御部４１は、例えば、受光部４により「Ｈ」信号が与えられたとき、パルス生成回路４１ａにて小さいデューティ比（例えば、２５％）のパルス信号を生成して、生成したパルス信号をトランジスタ７６のベース電極に与えるように構成してある。このとき、トランジスタ７６は、トランジスタ７６のベース電極に供給される電流の有無に応じて開閉動作をなす。
【００４０】
一方、制御部４１は、受光部４により「Ｌ」信号が与えられたとき、大きいデューティ比（例えば、１００％）の信号、即ち通電信号をトランジスタ７６のベース電極に与えるように構成してある。このとき、トランジスタ７６は閉動作をなす。また、制御部４１は、ディレイ回路を備えており、受光部４により与えられる信号が「Ｌ」から「Ｈ」に切り替わった後、所定時間の間、通電信号をトランジスタ７６のベース電極に与えるように構成してある。
【００４１】
ここで、パルス信号のデューティ比（２５％・１００％）を予め設定しているが、これに限定されず、該デューティ比を設定する手段を設け、照明装置の用途、設置場所に応じて変更することができるように構成してもよい。また、人を検知した場合に適用する小さいデューティ比は２５％でなくても、人が障害物等を認識できる程度のデューティ比であればよい。２５％をより小さいデューティ比とする事で、より一層の省エネルギ化を図ることが可能である。
【００４２】
また、人が障害物等を認識できる明るさは、数１０ルクス程度と考えられる。従って、照明装置を暗点灯する場合のデューティ比は、照射面において数１０ルクス程度になるように設定される事が好ましい。なお、２０Ｗ形蛍光灯の直下（１ｍ）の通常の明るさ（照度）は、約２００ルクス程度である。
【００４３】
以上のように構成された照明装置は、グローブ５の側が照射方向になるように直管蛍光灯用のソケットに装着ピン９１ａ，９１ｂ，９２ａ，９２ｂにて装着され、装着ピン９１ａ，９２ａが商用電源に接続される。この状態にて、電源を投入したとき、装着ピン９１ａ，９２ａを介して交流電流が全波整流部７１，７２に供給され、全波整流部７１，７２にて整流され、平滑コンデンサ７３にて平滑化された直流電流が、ＬＥＤ発光部２０及び電源部４０に夫々供給される。
【００４４】
電源部４０は、受光部４及び制御部４１に電流を供給する。受光部４は、赤外線の検出に応じた出力信号を制御部４１に与え、制御部４１は、受光部４により与えられた出力信号に応じた所定のデューティ比のパルス信号をパルス生成回路４１ａにて生成して、生成されたパルス信号をトランジスタ７６に出力する。トランジスタ７６は、パルス信号に応じて開閉動作を行い、この結果、ＬＥＤ発光部２０には、トランジスタ７６の開閉動作に応じたパルス状の電流が供給され、ＬＥＤ２，２…は、トランジスタ７６が閉状態の間のみ電流が供給されて点灯することとなる。ＬＥＤ２，２…の明るさは、この供給された電流の平均値により定まる。なお、トランジスタ７６のＯＮ／ＯＦＦのスイッチング周波数は、ＬＥＤ２，２…の消灯を視覚的に認識できない高い周波数になるように定められている。
【００４５】
以上のように、照明装置は、一定量以上の赤外線が検出された場合、即ち人が検知された場合、ＬＥＤ２，２…をディレイ回路により設定された時間だけ明点灯し、それ以外では暗点灯するように構成されているから、エネルギの消費を抑制することができると共に、例えば、障害物、段差等があるときに、早期に認識することができ、危険を回避することができる。
【００４６】
また、一定量以上の赤外線の検出の有／無、即ち人の検知の有／無に応じて大／小に変更したデューティ比のパルス信号によりトランジスタ７６を開閉動作させており、ＬＥＤ２，２…に流す電流の大きさを変化させるのではなくパルス信号のデューティ比を変化させているから、色度を変えることなく、ＬＥＤ２，２…の明るさを明／暗に変更することができる。
【００４７】
また、受光部４に赤外線を受光する受光素子を用いて、受光素子により人体から放出される赤外線を検出しており、受光素子のみというシンプルな構成により人を検知することができる。
【００４８】
なお、以上の実施の形態において、一定量以上の赤外線の検出の有／無に応じて「Ｌ」／「Ｈ」信号を出力するように受光部４を構成し、受光部４により出力された「Ｌ」／「Ｈ」信号に応じて１００％／２５％のデューティ比のパルス信号をパルス生成回路４１ａに生成させるように制御部４１を構成しているが、これに限定されない。赤外線の量に応じた信号を出力するように受光部を構成し、パルス幅変調信号（以下、ＰＷＭ信号という）を生成するＰＷＭ生成回路をパルス生成回路４１ａとして備え、受光部により検出された赤外線の量に応じたデューティ比のＰＷＭ信号をパルス生成回路に生成させるように制御部を構成してもよい。この場合、受光部４により検出された赤外線の量に応じて多段階にＬＥＤ２，２…の明るさを変更することができ、よりきめ細かい明るさの制御が可能になる。
【００４９】
また、制御部４１は、以上に述べた構成に限定されず、ＣＰＵ、ＲＯＭ及びＲＡＭを備え、ＲＯＭに記憶された制御プログラムに従うＣＰＵの動作によりＬＥＤ２，２…の駆動制御を実施するように構成してもよい。この場合、制御部４１は、例えば、受光部４により与えられた出力信号に応じて、赤外線の検出の有／無、即ち人の存／否を判定し、判定された人の存／否に応じて大／小となるデューティ比のＰＷＭ信号を生成し、生成されたＰＷＭ信号をトランジスタ７６に出力する。これにより、照明装置は、人の存／否に応じて明／暗に点灯されることになる。
【００５０】
（実施の形態２）
図５は、本発明の実施の形態２に係る照明装置の電気回路図である。
【００５１】
図に示すように、ＬＥＤ発光部２０の各直列回路には、赤外線ＬＥＤ４２，４２…が夫々接続してある。なお、赤外線ＬＥＤ４２，４２…は、ＬＥＤ２，２…が実装されたＬＥＤ基板３，３に実装されている。その他の構成は、図４に示す実施の形態１と同様であるため、対応する構成部材に図４と同一の参照符号を付して、その構成及び動作の詳細な説明を省略する。なお、赤外線センサの受光素子として、例えば、前述したサーモパイル、焦電体等の熱型センサに加えて、光起電力効果を利用したフォトトランジスタ又はフォトダイオード、光導電効果を利用したＣｄＳセル等の公知の受光素子を用いることができる。
【００５２】
このように構成された照明装置は、グローブ５の側が照射方向になるように直管蛍光灯用のソケットに装着ピン９１ａ，９１ｂ，９２ａ，９２ｂにて装着され、装着ピン９１ａ，９２ａが商用電源に接続される。この状態にて、電源を投入したとき、装着ピン９１ａ，９２ａを介して交流電流が全波整流部７１，７２に供給され、全波整流部７１，７２にて整流され、平滑コンデンサ７３にて平滑化された直流電流が、ＬＥＤ発光部２０、赤外線ＬＥＤ４２，４２…及び電源部４０に夫々供給される。
【００５３】
電源部４０は、受光部４及び制御部４１に電流を供給する。受光部４は、赤外線の検出に応じた出力信号を制御部４１に与え、制御部４１は、受光部４により与えられた出力信号に応じた所定のデューティ比にてトランジスタ７６の開閉動作を行う。この結果、ＬＥＤ発光部２０及び赤外線ＬＥＤ４２，４２…には、トランジスタ７６の開閉動作に応じたパルス状の電流が供給され、ＬＥＤ２，２…及び赤外線ＬＥＤ４２，４２…は、トランジスタ７６が閉状態の間のみ電流が供給されて点灯することとなる。
【００５４】
なお、本実施の形態に係る照明装置は、実施の形態１と同様に、赤外線が検出された場合、大きいデューティ比（例えば、１００％）にてトランジスタ７６を閉動作させて、ＬＥＤ２，２…を予め設定された時間だけ明点灯し、それ以外では小さいデューティ比（例えば、２５％）にてトランジスタ７６を開閉動作させて、ＬＥＤ２，２…を暗点灯するように構成してある。
【００５５】
本実施の形態に係る照明装置は、赤外線ＬＥＤ４２，４２…から出射され、人体にて反射された赤外線を受光部４により検出しており、人が照明装置の近くに来たときに、人体にて反射される赤外線が、人体から自然に発せられる赤外線よりも強度があるように赤外線ＬＥＤ４２，４２…を適切に設定することにより、受光部４の感度を下げて誤動作を防止することができる。
【００５６】
なお、本実施の形態において、赤外線ＬＥＤ４２，４２…を、ＬＥＤ発光部２０の各直列回路の一端に各接続しているが、これに限定されず、直列回路の中途に接続してもよいし、直列回路に並列接続してもよい。ＬＥＤ発光部２０のＬＥＤ２列に赤外線ＬＥＤ４２を組み込む事で、赤外線ＬＥＤ４２用の駆動回路を別途設ける必要がなく、簡便である。
【００５７】
また、上述した二つの実施の形態において、人検知センサで人を検知できない場合には、ＰＷＭ制御により低デューティ比にてＬＥＤ２を駆動して輝度を下げて照明装置を暗点灯していたが、照明装置の暗点灯の制御の方法についてはこれに限定されない。他の制御の方法として、例えば、ＬＥＤ２の複数列の内の一部の列のみ点灯させる方法（列制御）により照明装置を暗点灯させてもよく、また、複数のＬＥＤ２の内、ランダム又はパターンに対応して一部のＬＥＤを選択して点灯する制御（間引き制御）であってもよい。
【００５８】
以上、二つの実施の形態の照明装置について、それぞれ主な構成と制御について説明したが、次に図６を参照して、照明装置の点灯制御の制御フローをさらに詳細に説明する。実施の形態１と実施の形態２の違いは、発光部に赤外ＬＥＤを設けるかどうかの違いであり、何れの実施の形態においても、以下に説明する制御フローが適用できる。
【００５９】
まず、制御部４１は、電源が投入された後、小さいデューティ比（例えば、２５％）にてトランジスタ７６を開閉動作させ、ＬＥＤ２，２…を暗点灯させる（ステップＳ１）。
【００６０】
次に、照明装置と連動して電源がＯＮにされた人検知センサである受光部４により出力された出力信号を取り込む（ステップＳ２）。更に、ステップＳ２において取り込まれた出力信号を用いて、赤外線（人）の検出の有無を判定する（ステップＳ３）。
【００６１】
ステップＳ３において、赤外線（人）の検出が有ると判定された場合（ステップＳ３：ＹＥＳ）、大きいデューティ比（例えば、１００％）にてトランジスタ７６を開閉動作させて、ＬＥＤ２，２…を明点灯させる（ステップＳ４）と共に、照明装置内に別途設置されているタイマーを０にリセットしてスタートさせ、人を検知してからの時間を計測する（ステップＳ５）。
【００６２】
一方、ステップＳ３において、赤外線（人）の検出が無いと判定された場合（ステップＳ３：ＮＯ）、ＬＥＤ２，２…の暗点灯を持続した状態にて、ステップＳ２に戻って一連の動作を繰り返す。
【００６３】
ステップＳ５にてタイマーをスタートさせた後、受光部４により出力された出力信号を取り込み（ステップＳ６）、ステップＳ６において取り込まれた出力信号を用いて、赤外線（人）の検出の有無を判定する（ステップＳ７）。
【００６４】
ステップＳ７において、赤外線（人）の検出が有ると判定された場合（ステップＳ７：ＹＥＳ）、ＬＥＤ２，２…の明点灯を持続した状態にて、ステップＳ５に戻って一連の動作を繰り返す。
【００６５】
一方、ステップＳ７において、赤外線（人）の検出が無いと判定された場合（ステップＳ７：ＮＯ）、タイマーにより設定された時間が経過したか否か（タイムアップか否か）を判定する（ステップＳ８）。
【００６６】
ステップＳ８において、タイムアップでないと判定された場合（ステップＳ８：ＮＯ）、ＬＥＤ２，２…の明点灯を持続した状態にて、ステップＳ６に戻って一連の動作を繰り返す。
【００６７】
ステップＳ８において、タイムアップであると判定された場合（ステップＳ８：ＹＥＳ）、ステップＳ１に戻って一連の動作を、電源が遮断されるまで繰り返す。
【００６８】
以上のように、照明装置は、赤外線（人）が検出された場合、ＬＥＤ２，２…をタイマーにより設定された時間だけ明点灯し、それ以外では暗点灯するように構成されている。よって、最後に人を検知してから少なくとも所定の時間は明点灯を続けることができる。従って、人検知センサの感度が性能により狭い範囲のみしか人を検知できない場合においても、照明装置が突然暗くなることなく所定の時間は明点灯が確保することができ、通過する人の安全を図ることが可能である。
【００６９】
また、上記の実施形態の照明装置は、照明装置の周囲の照度を計測する照度センサを別途備え、人検知センサと照度センサを組合せて照明装置の点灯を制御してもよい。図７は、照度センサである照度検出部を備える照明装置の電気回路図であり、実施の形態１に係る照明装置に適用した例を示している。
【００７０】
図に示すように、制御部４１には、照度検出部４３が接続してある。なお、照度検出部４３は、リード線（図示せず）を介して電源部４０に接続してあり、照度検出部４３には、定電圧電源である電源部４０から電流が供給される。その他の構成は、図４に示す実施の形態１と同様であるため、対応する構成部材に図４と同一の参照符号を付して、その構成及び動作の詳細な説明を省略する。
【００７１】
図８を参照して、人検知センサと照度センサを組合せた照明装置の点灯の制御フローを詳細に説明する。
【００７２】
まず、制御部４１は、電源が投入された後、小さいデューティ比（例えば、２５％）にてトランジスタ７６を開閉動作させ、ＬＥＤ２，２…を暗点灯させる（ステップＳ１１）。
【００７３】
次に、照明装置と連動して電源がＯＮにされた人検知センサである受光部４により出力された出力信号及び照度センサである照度検出部４３により検出された照度を夫々取り込む（ステップＳ１２,Ｓ１３）。更に、ステップＳ１２において取り込まれた出力信号を用いて、赤外線（人）の検出の有無を判定する（ステップＳ１４）。
【００７４】
ステップＳ１４において、赤外線（人）の検出が有ると判定された場合（ステップＳ１４：ＹＥＳ）、ステップＳ１３において取り込まれた照度が予め設定されている値Ｌs 以上か否かを判定する（ステップＳ１５）。
【００７５】
ステップＳ１５において、照度が予め設定されている値Ｌs 未満であると判定された場合（ステップＳ１５：ＮＯ）、大きいデューティ比（例えば、１００％）にてトランジスタ７６を開閉動作させて、ＬＥＤ２，２…を明点灯させる（ステップＳ１６）と共に、照明装置内に別途設置されているタイマーを０にリセットしてスタートさせ、人を検知してからの時間を計測する（ステップＳ１７）。
【００７６】
一方、ステップＳ１４において、赤外線（人）の検出が無いと判定された場合（ステップＳ１４：ＮＯ）、及びステップＳ１５において、照度が予め設定されている値Ｌs 以上であると判定された場合（ステップＳ１５：ＹＥＳ）、ＬＥＤ２，２…の暗点灯を持続した状態にて、ステップＳ１２に戻って一連の動作を繰り返す。
【００７７】
ステップＳ１７にてタイマーをスタートさせた後、受光部４により出力された出力信号を取り込み（ステップＳ１８）、ステップＳ１８において取り込まれた出力信号を用いて、赤外線（人）の検出の有無を判定する（ステップＳ１９）。
【００７８】
ステップＳ１９において、赤外線（人）の検出が有ると判定された場合（ステップＳ１９：ＹＥＳ）、ＬＥＤ２，２…の明点灯を持続した状態にて、ステップＳ１７に戻って一連の動作を繰り返す。
【００７９】
一方、ステップＳ１９において、赤外線（人）の検出が無いと判定された場合（ステップＳ１９：ＮＯ）、タイマーにより設定された時間が経過したか否か（タイムアップか否か）を判定する（ステップＳ２０）。
【００８０】
ステップＳ２０において、タイムアップでないと判定された場合（ステップＳ２０：ＮＯ）、ＬＥＤ２，２…の明点灯を持続した状態にて、ステップＳ１８に戻って一連の動作を繰り返す。
【００８１】
ステップＳ２０において、タイムアップであると判定された場合（ステップＳ２０：ＹＥＳ）、ステップＳ１１に戻って一連の動作を、電源が遮断されるまで繰り返す。
【００８２】
以上のように、照明装置は、人検知センサが赤外線（人）を検知して明点灯しようとする場合に、照度センサにより周囲の照度を計測した結果、周囲の照度が予め設定されている値以上であればそのまま暗点灯を継続し、周囲の照度が予め設定されている値より小さければ照明装置を明点灯するように構成されている。
【００８３】
例えば、照明装置を昼間に点灯させている場合や照明装置が窓側の明るい場所に設置されている場合には、照明装置を明点灯しなくても人は障害物等の認識することが可能であるので、例え人検知センサにより赤外線（人）を検知して明点灯する必要があると判断される場合においても、暗点灯で十分に危険の回避することは可能である。よって、人検知センサと照度センサを組合せることにより、不必要に照明装置を明点灯させることを避けられるので、照明装置の側を通過する人の障害物等の認識の補助による安全の確保と、照明装置をより効果的に省エネルギで駆動することが可能となる。
【００８４】
なお、上記説明において、周囲の照度が所定値より大きい場合には、照明装置を暗点灯させる制御を説明したが、日中の窓際等の特に明るい場所においては、暗点灯の必要もなく、人は障害物等の認識は可能であるから、照明装置の電源をＯＦＦさせてもよい。よって、より効果的に省エネルギが実現可能である。
【００８５】
また、上記制御方法は、人を検出した場合において照射面の照度が所定の値より大きい時には、暗点灯する制御方法であるが、暗点灯に限らず、所定の範囲の照度になるようにすることも可能である。よって、危険を回避する事のみを目的とするだけでなく、緻密な手作業等をする場合の照明の目的も達成することが可能となる。
【００８６】
また、照度センサは、人検知センサと組合せずに単体で用いた場合であっても、照明装置を省エネルギにて駆動する事が可能となる。
【００８７】
以上の実施の形態に係る照明装置は、例えば、広い室内に多数設置する照明装置として用いることができる。この場合、室内に多数の人がいるときは、全照明装置が明点灯し、室内に一人しかいないときは、近傍にある照明装置が明点灯し、それ以外の照明装置は暗点灯することとなり、省エネルギに資すると共に状況に応じたきめ細かい照明が可能となる。
【００８８】
以上の実施の形態に係る照明装置は、光源としてＬＥＤを用いた照明装置を例示したが、明るさを制御できる光源であればよくＬＥＤに限定されるものではない。
【００８９】
更に、本発明は、その他、特許請求の範囲に記載した事項の範囲内において種々変更した形態にて実施することが可能であることは言うまでもない。
【図面の簡単な説明】
【００９０】
【図１】本発明の実施の形態１に係る照明装置の外観図である。
【図２】図１のII−II線による断面図である。
【図３】ＬＥＤ基板の概略図である。
【図４】照明装置の電気回路図である。
【図５】本発明の実施の形態２に係る照明装置の電気回路図である。
【図６】本発明の実施の形態１及び２に係る照明装置の点灯制御のフロー図である。
【図７】照度センサを備える照明装置の電気回路図である。
【図８】本発明の実施の形態１及び２に係る照明装置において、人検知センサと照度センサを組合せて使用した場合の照明装置の点灯制御のフロー図である。
【符号の説明】
【００９１】
２      ＬＥＤ（光源）
４      受光部（人検知センサ，受光素子）
４１    制御部（制御手段）
４１ａ  パルス生成回路
４２    赤外線ＬＥＤ
４３    照度検出部（照度センサ）
７６    トランジスタ（スイッチング素子）
【図１】
2009004190.tif 000003
【図２】
2009004190.tif 000004
【図３】
2009004190.tif 000005
【図４】
2009004190.tif 000006
【図５】
2009004190.tif 000007
【図６】
2009004190.tif 000008
【図７】
2009004190.tif 000009
【図８】
2009004190.tif 000010